(57)【特許請求の範囲】
【請求項１】
竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、開閉機構ユニットは、障子の上框に連結してあり、閉鎖状態の障子上框の室内側に対向する位置で、開閉機構ユニットの下端と障子上框の下端が見込み方向で略同面となるように設けてあることを特徴とする玄関戸。
【請求項２】
竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、額縁は、躯体開口部の上部に沿う水平板部と、水平板部の室外側端から垂下する垂下片を有し、開閉機構ユニットが水平板部と垂下片とのコーナー部内周側に取付けてあることを特徴とする玄関戸。
【請求項３】
額縁は、垂下片が開閉機構ユニットよりも下方まで垂下し、カバーは、垂下片の下部と水平板部の室内側部とに跨って取付けてあることを特徴とする請求項２記載の玄関戸。
【請求項４】
竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、額縁と無目とに網戸取付部を有し、両網戸取付部に跨って網戸が開閉機構ユニットよりも室外側に取付けてあることを特徴とする玄関戸。
【請求項５】
開閉障子を組み込んだ枠と、上枠の室内側に設けた額縁と、開閉障子を開閉操作する開閉機構ユニットと、開閉機構ユニットを覆うカバーとを備え、額縁は、躯体開口部の上部に沿う水平板部と、水平板部の室外側端から垂下する垂下片を有し、開閉機構ユニットは水平板部と垂下片とのコーナー部内周側に取付けてあり、カバーは垂下片の下部と水平板部の室内側部とに跨って取付けてあることを特徴とする建具。
【請求項６】
開閉障子の室内側に位置する網戸を備え、網戸は垂下片と枠の無目又は下枠との間に取付けてあることを特徴とする請求項５記載の建具。
【発明の詳細な説明】
【技術分野】
【０００１】
本発明は、玄関戸及び建具に関する。
【背景技術】
【０００２】
玄関戸において採光のためにランマ部を設けたものがあるが（例えば、非特許文献１、特許文献１参照。）、従来ランマ部の障子は嵌め殺しになっており、ランマ部から採風・換気が行えるものはなかった。
ランマ部の障子を開閉できるようするためには、ランマ部は手が届かない高所にあるために、ワイヤーやチェーン、ダンパー等を用いた開閉機構が必要になり、ドア枠に障子及び開閉機構を組み付けた状態で工場から出荷しなければならず、梱包や輸送のコストが増大する。さらに、障子の開閉機構がドア枠の室内側に突出するため、玄関の内観意匠を悪化させると共に、開閉機構が邪魔になって網戸の取付けが困難になる。
【先行技術文献】
【特許文献】
【０００３】
【特許文献１】特開２００４−３２４２９２号公報
【非特許文献】
【０００４】
【非特許文献１】三協立山アルミ株式会社発行のカタログ「玄関ドア総合カタログ」（カタログＮｏ．ＳＴＪ０４８２Ａ Ｄ．１０．０３−３３０）、第１版、２０１０年３月、ｐ．６９０−６９１
【発明の概要】
【発明が解決しようとする課題】
【０００５】
本発明は以上に述べた実情に鑑み、ランマ部から採風・換気が行える施工性・意匠性に優れた玄関戸及び建具の提供を目的とする。
【課題を解決するための手段】
【０００６】
上記の課題を達成するために請求項１記載の発明による玄関戸は、竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、開閉機構ユニットは、障子の上框に連結してあり、閉鎖状態の障子上框の室内側に対向する位置で、開閉機構ユニットの下端と障子上框の下端が見込み方向で略同面となるように設けてあることを特徴とする。
【０００７】
請求項２記載の発明による玄関戸は、竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、額縁は、躯体開口部の上部に沿う水平板部と、水平板部の室外側端から垂下する垂下片を有し、開閉機構ユニットが水平板部と垂下片とのコーナー部内周側に取付けてあることを特徴とする。
【０００８】
請求項３記載の発明による玄関戸は、請求項２記載の発明の構成に加え、額縁は、垂下片が開閉機構ユニットよりも下方まで垂下し、カバーは、垂下片の下部と水平板部の室内側部とに跨って取付けてあることを特徴とする。
【０００９】
請求項４記載の発明による玄関戸は、竪枠間に無目が架設された枠と、枠の無目上方の開口部に設けた外倒し障子と、枠の無目下方の開口部に設けた戸と、上枠の室内側に設けた額縁と、外倒し障子を開閉操作する開閉機構ユニットと、開閉機構ユニットを覆うカバーを備え、開閉機構ユニットが額縁に取付けてあり、額縁と無目とに網戸取付部を有し、両網戸取付部に跨って網戸が開閉機構ユニットよりも室外側に取付けてあることを特徴とする。
【００１０】
請求項５記載の発明による建具は、開閉障子を組み込んだ枠と、上枠の室内側に設けた額縁と、開閉障子を開閉操作する開閉機構ユニットと、開閉機構ユニットを覆うカバーとを備え、額縁は、躯体開口部の上部に沿う水平板部と、水平板部の室外側端から垂下する垂下片を有し、開閉機構ユニットは水平板部と垂下片とのコーナー部内周側に取付けてあり、カバーは垂下片の下部と水平板部の室内側部とに跨って取付けてあることを特徴とする。
【００１１】
請求項６記載の発明による建具は、請求項５記載の発明の構成に加え、開閉障子の室内側に位置する網戸を備え、網戸は垂下片と枠の無目又は下枠との間に取付けてあることを特徴とする。
【発明の効果】
【００１２】
請求項１記載の発明による玄関戸は、枠の無目上方の開口部すなわちランマ部に外倒し障子が設けてあり、外倒し障子を開閉機構ユニットにより開くことで、ランマ部から採風・換気が行える。また本発明の玄関戸は、開閉機構ユニットを額縁に取付けるようにしたことにより、開閉機構ユニットを枠及び障子と分離した状態で工場から出荷できるため、梱包や輸送のコストを低減できる。さらに、額縁を取付け治具として開閉機構ユニットを取付けできるので施工性が良く、開閉機構ユニットがカバーで覆われるため意匠性も良い。
【００１３】
請求項２記載の発明による玄関戸は、額縁に躯体開口部の上部に沿う水平板部と、水平板部の室外側端から垂下する垂下片を有し、開閉機構ユニットを水平板部と垂下片とのコーナー部内周側に取付けることで、開閉機構ユニットを額縁に容易に且つ安定して取付けできる。
【００１４】
請求項３記載の発明による玄関戸は、額縁の垂下片が開閉機構ユニットよりも下方まで垂下し、カバーを垂下片の下部と水平板部の室内側部とに跨って取付けることで、カバーの取付けが室内側から容易に行える。
【００１５】
請求項４記載の発明による玄関戸は、額縁と無目とに網戸取付部を有し、両網戸取付部に跨って網戸が開閉機構ユニットよりも室外側に取付けてあるので、網戸を外倒し障子に近付けてすっきりと取付けでき、意匠性が良い。
【００１６】
請求項５記載の発明による建具は、開閉障子を開閉機構ユニットにより開くことで採風・換気が行え、開閉機構ユニットを額縁に取付けるようにしたことにより、開閉機構ユニットを枠及び障子と分離した状態で工場から出荷できるため、梱包や輸送のコストを低減できる。さらに、額縁を取付け治具として開閉機構ユニットを取付けできるので施工性が良く、開閉機構ユニットがカバーで覆われるため意匠性も良い。また、額縁に躯体開口部の上部に沿う水平板部と、水平板部の室外側端から垂下する垂下片を有し、開閉機構ユニットを水平板部と垂下片とのコーナー部内周側に取付けることで、開閉機構ユニットを額縁に容易に且つ安定して取付けできる。さらに、カバーを垂下片の下部と水平板部の室内側部とに跨って取付けることで、カバーの取付けが室内側から容易に行える。
【００１７】
請求項６記載の発明による建具は、開閉障子の室内側に位置する網戸を備え、網戸は垂下片と枠の無目又は下枠との間に取付けてあるので、網戸を開閉障子に近付けてすっきりと取付けでき、意匠性が良い。
【図面の簡単な説明】
【００１８】
【図１】図３のＡ−Ａ断面図である。
【図２】ランマ部を室内側から見た正面図である。
【図３】本発明の玄関戸の一実施形態を示す室外側正面図である。
【図４】図３のＢ−Ｂ断面図である。
【図５】図３のＣ−Ｃ断面図である。
【図６】外倒し障子を開けた状態のランマ部の縦断面図である。
【図７−１】同玄関戸の上枠部の施工手順を順に示す斜視図である。
【図７−２】同玄関戸の上枠部の施工手順（図７−１の続き）を順に示す斜視図である。
【発明を実施するための形態】
【００１９】
以下、本発明の実施の形態を図面に基づいて説明する。図１〜６は、本発明の建具の一実施形態であって、玄関戸の場合の実施形態を示している。本玄関戸は、図１，３に示すように、躯体開口部１５に枠３が取付けられ、枠３は竪枠１，１間の上部に無目２を架設してランマ部４を形成してあり、ランマ部４には外倒し障子５が設けてあり、無目２下方の出入口用の開口部には扉６が蝶番１６で取付けてあり、図６に示すように外倒し障子５を開けることで、ランマ部４から採風・換気が行えるようにしている。ランマ部４には、室内側に網戸１４が取付けてある。さらに本玄関戸は、躯体開口部１５の上部と左右両側部を覆うように額縁７０，７１が設けてある。上側の額縁７０には、図１，２に示すように、外倒し障子５の開閉を行うための開閉機構ユニット９が取付けてあり、開閉機構ユニット９はカバー１０で覆ってある。
【００２０】
枠３は、アルミ合金の押出形材よりなる上枠７と下枠２０と左右の竪枠１，１を矩形に枠組みし、竪枠１，１間に無目２を架設して形成してあり、図１，４に示すように、上枠７と竪枠１に外周側に突出する躯体固定片２１を有し、躯体固定片２１を躯体２２の室外側面に当接してねじ２３で固定し、躯体開口部１５に半外付け状に取付けてある。無目２は、ランマ部４の外倒し障子５用の下枠と扉６用の上枠を兼ねるものであり、図１に示すように、上面の室内側寄りの位置に突出片１３が上方に突出して設けてあり、突出片１３の室内側面にタイト材ホルダー２４が形成してあり、タイト材ホルダー２４に取り付けたタイト材２５が外倒し障子５の下框３０の室内側面に当接している。突出片１３のタイト材ホルダー２４よりも上方に突出した部分が、網戸取付部となっている。無目２の下面には、室内側寄りの位置に垂下片２６が設けてあり、垂下片２６には室外側面にタイト材ホルダー２７が形成され、タイト材ホルダー２７に取り付けたタイト材２８が扉６の室内側面に当接している。
【００２１】
外倒し障子５は、図１，４に示すように、上框２９と下框３０と左右の竪框３１，３１とを方形に枠組みし、各框の内周側に形成した溝に、複層ガラスパネル６７の周縁部をグレージングチャンネルを介して嵌合保持させたものとなっている。外倒し障子５は、下框３０の下面を無目２の上面に蝶番３２で連結してある。上框２９の室内側面には、開閉機構ユニット９のプッシュプルチェーン３３の先端部を連結する連結金具３４が取付けてある。また外倒し障子５は、図４に示すように、片方の竪框３１を竪枠１と脱落防止用アーム３５で連結してある。外倒し障子の場合に一般に用いられる障子を開く方向に付勢するダンパーは設けていない。
【００２２】
上側の額縁７０は、図１に示すように、上枠７の室内側に配置される枠側部材８と、枠側部材８に受ける形で室内側から取付けられる室内側部材１８の二部材で構成されている。枠側部材８は、躯体開口部１５の上部に沿う水平板部１１と、水平板部１１の室外側端より垂下する垂下片１２を有している。垂下片１２は、開閉機構ユニット９よりも下方まで垂下しており、垂下片１２の下部にカバー取付部３６が室内側に突出する板状に形成してある。さらに垂下片１２は、カバー取付部３６の下で室外側にクランク状に屈曲し、先端部１２ａが開閉機構ユニット９よりも室外側で下向きに突出しており、その先端部１２ａが網戸取付部となっている。垂下片１２は、上部が上枠７の室内側壁３７の室内側面に当接し、室内側からねじ３８で固定してある。水平板部１１は、下面の室内側寄りの位置に、カバー１０の上端部を差込む溝部３９が室内側に開放して設けてあり、溝部３９内にカバー１０の上端が係止する係止突起４０が設けてある。水平板部１１の外周側には、室内側部材１８を差込む溝部４１が、室内側に開放した略コ字形に形成してある。水平板部１１は、躯体開口部１５の内周側面に当接し、内周側からねじ４２で固定してある。室内側部材１８は、室外側を枠側部材８の溝部４１に室内側から差し込み、外周側に突出して設けた固定片５７を躯体２２の室内側面に当接してねじ６５で固定してある。  
【００２３】
開閉機構ユニット９は、図１，２に示すように、Ｌ形断面のベース４３上にモーター４４と、プッシュプルチェーン３３を収納したチェーンケースユニット４５を備え、プッシュプルチェーン３３の先端部が額縁７０の垂下片１２に形成した孔６６に挿通され、外倒し障子５の上框２９に設けた連結金具３４に連結してあり、室内側の壁面に設置した操作スイッチ（図示省略）を操作すると、モーター４４が作動してチェーンケースユニット４５がプッシュプルチェーン３３の繰り出し・巻取りを行い、それに伴って外倒し障子５が開閉する。また開閉機構ユニット９は、チェーンケースユニット４５の出力軸にジョイント４６を介してベベルギアボックス４７が連結して設けられ、ベベルギアボックス４７より室内側に突出した手動操作部４８に棒状の工具を引っ掛けて回転させることで、手動で外倒し障子５の開閉を行うこともできる。開閉機構ユニット９は、室内側が開放した断面コ字形のブラケット４９を介して、額縁７０の水平板部１１と垂下片１２とのコーナー部内周側に取付けてある。開閉機構ユニット９は、ベース４３がブラケット４９の下壁４９ａにボルト・ナット５０で固定してある。ブラケット４９は、室外側壁４９ｂが額縁７０の垂下片１２の室内側面に当接し、垂下片１２を貫通して上枠７の室内側壁３７に螺入するねじ５１で固定され、ブラケット４９の上壁４９ｃは額縁７０の水平板部１１の下面に当接し、水平板部１１に螺入するねじ５２及び水平板部１１を貫通して躯体２２に螺入するねじ４２で固定してある。
【００２４】
カバー１０は、図１に示すように、縦壁１０ａと横壁１０ｂを有する略Ｌ形断面に形成してあり、縦壁１０ａの上縁部には額縁７０の水平板部１１の溝部３９に差込まれる差込部６９が、室外側の斜め上向きに突出して形成してあり、差込部６９の先端に水平板部１１の係止突起４０に係止する被係止部５３が上方に突出して設けてある。カバーの横壁１０ｂは、室外側端部が額縁７０の垂下片１２の下部に設けたカバー取付部３６の下面に当接し、ねじ５４で固定してある。カバー１０の取付け方は、全体を室外側に少し傾けた状態で、縦壁１０ａ上部の差込部６９を額縁７０の水平板部１１に設けた溝部３９に室内側から差し込み、横壁１０ｂの室外側を額縁７０の垂下片１２下部に設けたカバー取付部３６に押し付けるようにカバー１０を回転させると、縦壁１０ａ上端の被係止部５３が額縁７０の係止突起４０に係止し、その後ねじ５４で横壁１０ｂの室外側部を額縁７０のカバー取付部３６に固定する。
【００２５】
左右の竪の額縁７１は、図４に示すように、竪枠１の室内側に配置される枠側部材１７と、枠側部材１７に受ける形で室内側から取付けられる室内側部材１９の二部材で構成されている。枠側部材１７は、室内側が開放した溝部５６を有する略コ字形断面に形成してあり、竪枠１の室内側面に当接させてねじ５５で固定してある。室内側部材１９は、室外側の部分を枠側部材１７の溝部５６に室内側から差し入れ、外周側に突出して設けた固定片５７を躯体２２の室内側面に当接してねじ６５で固定してある。室内側部材１９の上端部は、上側の額縁７０の室内側部材１８の小口に当接し、ねじ（図示省略）で連結してある。
【００２６】
網戸１４は、上框５８と、下框５９と、左右の竪框６０，６０とを方形に枠組みし、枠の内側に網６１を張設して形成してある。網戸１４の下框５９は、図１に示すように、室外側見付面に下方に垂下して設けた係合片６２が無目２上面に突出した突出片１３の室外側に係合しており、上框５８は図１と図２に示すように、長手方向両端部に上下動自在な係合具６３を設けてあり、上框５８室外側面と係合具６３の係合爪６３ａとで額縁７０の垂下片１２の先端部１２ａを挟持している。網戸の竪框６０は、図４に示すように、竪枠１の内周側に突設したタイト材ホルダー６４の室内側にラップしている。網戸１４を外すときは、係合具６３を下方に押し下げた後、下部側を支点として室内側に倒せば、室内側に簡単に外すことができる。
【００２７】
次に、本玄関戸の施工手順を説明する。本玄関戸は、枠３と扉６と外倒し障子５と開閉機構ユニット９と額縁７０，７１とに分離した状態で工場から出荷され、施工現場においてこれらを組立てる、いわゆるノックダウン方式をとる。施工手順としては、まず図７−１（ａ）に示すように、上枠７の室内側に額縁７０の枠側部材８をねじ３８で取付ける。上枠７の室内側壁３７と枠側部材８の垂下片１２には、予めねじ３８を挿入する孔６５，６６（下孔）が形成してあって、これらの孔６５，６６の位置を合わせてねじ３８（タッピンねじ）を室内側から捩じ込むことで、枠側部材８を簡単に位置決めして取付けできる。なお中央寄りの２箇所の孔６５，６６は、開閉機構ユニット９の取付孔として用いられる。竪枠１の室内側壁にも同様に額縁７１の枠側部材１７をねじ５５で取付ける。その後、枠３を室外側から躯体開口部１５に建て込み、上枠７と竪枠１の外周の躯体固定片２１を躯体２２にねじ２３で固定する。その後、図７−１（ｂ）に示すように、開閉機構ユニット９を室内側から枠側部材８の水平板部１１と垂下片１２とのコーナー部内周側に沿うように配置し、開閉機構ユニット９のブラケット４９を枠側部材８の垂下片１２と水平板部１１にねじ５１，５２で固定する。室内側からのねじ５１は、垂下片１２を貫通して上枠７の室内側壁３７に螺入している。なお、開閉機構ユニット８の取付けは、枠３を躯体開口部１５に建て込む前に行うこともできる。次に、図７−２（ｃ）に示すように、枠側部材８の水平板部１１に形成した孔６８に下方よりねじ４２を挿入し、ねじ４２を躯体２２に捩じ込んで枠側部材８を躯体２２に固定する。中央寄りの４本のねじ４２は、開閉機構ユニット９のブラケット４９と枠側部材８の水平板部１１を躯体２２に共締めしている。その後、図７−２（ｄ）に示すように、枠側部材８に室内側からカバー１０を取付け、ねじ５４で固定する。その後、ランマ部４に室外側から外倒し障子５を蝶番３２で取付け、上框２９に開閉機構ユニット９のプッシュプルチェーン３３の先端部を連結する。次に、枠３の無目２下方の開口部に扉６を蝶番１６で取付ける。その後、枠側部材８，１７に差込むようにして額縁７０，７１の室内側部材１８，１９を室内側から取付ける。その後、ランマ部４に網戸１４を室内側から取付ける。
【００２８】
以上に述べたように本玄関戸は、ランマ部４に外倒し障子５を設けてあり、外倒し障子５を開閉機構ユニット９により開くことで、ランマ部４から効率よく採風・換気が行える。扉６を閉鎖し、施錠した状態で、扉６の上のランマ部４から採風・換気を行えるので、防犯性も良い。また本玄関戸は、上枠７の室内側に額縁７０を有し、開閉機構ユニット９を額縁７０の枠側部材８に取付けるようにしたことにより、開閉機構ユニット９を枠３及び障子５と分離した状態で工場から出荷できるため、梱包や輸送のコストを低減できると共に、出荷先において施工主の要望に応じて種々のガラスの種類に対応することができ、工場にガラスの種類ごとに在庫を持つ必要がない。さらに、額縁７０の枠側部材８を取付け治具として開閉機構ユニット９と額縁７０の室内側部材１８を簡単に取付けできるので施工性が良く、開閉機構ユニット９がカバー１０で覆われるため意匠性も良い。さらに、額縁７０の枠側部材８に躯体開口部１５の上部に沿う水平板部１１と、水平板部１１の室外側端から垂下する垂下片１２を有し、開閉機構ユニット９を水平板部１１と垂下片１２とのコーナー部内周側に取付けることで、開閉機構ユニット９を額縁７０に容易に且つ安定して取付けできる。また、額縁７０の枠側部材８の垂下片１２が開閉機構ユニット９よりも下方まで垂下し、垂下片１２の下部にカバー取付部３６を有し、水平板部１１の室内側にカバー１０の係止部（溝部３９及び係止突起４０）を有しているので、カバー１０の取付け・取外しが室内側から容易に行える。さらに本玄関戸は、額縁７０の枠側部材８の垂下片１２と無目２とに網戸取付部１２ａ，１３を有し、両網戸取付部１２ａ，１３に跨って網戸１４が開閉機構ユニット９よりも室外側に取付けてあるので、網戸１４を外倒し障子５に近付けてすっきりと取付けできるため意匠性が良く、網戸１４の着脱も室内側から容易に行える。室外側から見ると、開閉機構ユニット９は額縁７０の枠側部材８の垂下片１２に隠れて見えず、網戸１４も目立たないため、室外側の意匠性も良好である。さらに、上枠７の室内側壁３７と額縁７０の枠側部材８の垂下片１２とにねじ３８，５１用の孔６５，６６が予め開けてあり、これらの孔位置を合わせて枠側部材８及び開閉機構ユニット９を配置することで、開閉機構ユニット９の位置決めを行うことができ、組立が容易である。額縁７０，７１を枠側部材８，１７と室内側部材１８，１９とに分割して形成し、枠側部材８，１７を先に枠３に取り付けて枠３を躯体開口部１５に取付け、その後に枠側部材８，１７の溝部４１，５６に室内側から差込んで室内側部材１８，１９を取付けることで、枠３及び額縁７０，７１の施工が簡単に行える。
【００２９】
本発明は以上に述べた実施形態に限定されない。開閉機構ユニット９は、プッシュプルチェーン３３を用いたものに限らず、ワイヤー等を用いたものでもよく、また手動でのみ操作できるものであってもよい。開閉機構ユニット９は、必ずしも額縁７０の水平板部１１と垂下片１２の両方にねじ等で固定してなくてもよく、水平板部１１と垂下片１２のどちらか一方にのみねじ等で固定してもよい。額縁７０は、枠側部材８と室内側部材１８の二部材で構成したものに限らず、一体で形成したものでもよい。無目２下方の開口部に設けられる戸は、引戸であってもよい。外倒し障子５は、ガラスを組み込まないパネル状のものであってもよい。網戸１４の取付け方は適宜変更することができ、例えば額縁７０の垂下片１２と無目２の突出片１３間に上下けんどん式に着脱自在に取付けたり、室内側からねじ止めして取付けてもよい。本発明の建具は、玄関戸に限らず、引違い障子等を組み込んだ窓の上に開閉障子を組み込んだ窓を段窓状に設けたものや、無目を有しない単体の窓にも適用することができ、単体の窓の場合に網戸は額縁の垂下片と下枠との間に取付けられる。開閉障子としては、外倒し障子に限らず、例えば障子が水平軸や垂直軸回りに回動して開閉するもの、障子が左右方向や上下方向、見込み方向にスライドして開閉するもの、さらにはルーバーやガラリのように障子が複数の羽根で構成され、その羽根が回転ないしスライドして開閉するものであってもよい。
【符号の説明】
【００３０】
１  竪枠
２  無目
３  枠
４  ランマ部（無目上方の開口部）
５  外倒し障子（開閉障子）
６  扉（戸）
７  上枠
８  枠側部材（額縁）
９  開閉機構ユニット
１０  カバー
１１  水平板部
１２  垂下片
１２ａ  垂下片の先端部（網戸取付部）
１３  突出片（網戸取付部）
１４  網戸
７０  額縁
【図１】
0005710201.tif 000002
【図２】
0005710201.tif 000003
【図３】
0005710201.tif 000004
【図４】
0005710201.tif 000005
【図５】
0005710201.tif 000006
【図６】
0005710201.tif 000007
【図７−１】
0005710201.tif 000008
【図７−２】
0005710201.tif 000009